(57)【要約】【課題】内容物を注出する際に、内容物がバルブ周縁から外部に垂れ落ちることがなく、バルブ上に残留する内容物を、スリットの切り込み位置に関係なく容器内に回収することを可能とする。【解決手段】スリットバルブ５の上方に開口して、筒状に立ち上がる注出口部２５と、注出口部２５の基端から外方に張り出して、スリットバルブ５の頂部５ａの周縁側を覆う縁枠部２４と、縁枠部２４の外周縁に沿って垂下して、スリットバルブ５の側面を囲む側壁部２３とを有するようにキャップ本体２を形成し、側壁部２３と縁枠部２４とによって画成される凹陥部にスリットバルブ５を挿入して取り付ける。【選択図】      図２
2018154372.tif 000002
【特許請求の範囲】
【請求項１】
頂部にスリットが形成された弾性材料からなるスリットバルブが取り付けられたキャッ
プ本体と、前記キャップ本体に着脱可能な上蓋とを備えるスリットバルブ付きキャップで
あって、
前記キャップ本体が、
前記スリットバルブの上方に開口して、筒状に立ち上がる注出口部と、
前記注出口部の基端から外方に張り出して、前記スリットバルブの頂部の周縁側を覆う
縁枠部と、
前記縁枠部の外周縁に沿って垂下して、前記スリットバルブの側面を囲む側壁部と
を有することを特徴とするスリットバルブ付きキャップ。
【請求項２】
前記注出口部の先端側の内周面が、先端に向かって拡径するように傾斜しているととも
に、前記注出口部の先端が外方に反り返るように湾曲して形成されている請求項１に記載
のスリットバルブ付きキャップ。
【請求項３】
前記上蓋に、前記注出口部を封止する封止体が取り付けられており、
前記封止体が、前記注出口部に挿入される封止部と、縦断面Ｕ字状の外周嵌合部とを有
し、前記外周嵌合部が、前記上蓋の天面部から筒状に垂下する嵌合筒部に遊嵌状に嵌合さ
れている請求項１又は２に記載のスリットバルブ付きキャップ。
【請求項４】
前記封止体の前記封止部が前記キャップ本体の前記注出口部に挿入されたときに、前記
キャップ本体の前記縁枠部の外周縁に形成された係合段部に、前記封止体の前記外周嵌合
部の下端縁が係合する請求項３に記載のスリットバルブ付きキャップ。
【請求項５】
前記注出口部の基端側内周面に窪みが形成されるとともに、前記窪みと係合する膨出部
が前記封止部の側面に形成されている請求項３又は４に記載のスリットバルブ付きキャッ
プ。
【請求項６】
前記上蓋の天面部から垂下するガイド筒を設け、前記ガイド筒の先端が、前記キャップ
本体から立ち上る外側立ち上り部と内側立ち上り部との間に被嵌される請求項１〜５のい
ずれか一項に記載のスリットバルブ付きキャップ。
【発明の詳細な説明】
【技術分野】
【０００１】
本発明は、頂部にスリットが形成された弾性材料からなるスリットバルブを備えるスリ
ットバルブ付きキャップに関する。
【背景技術】
【０００２】
従来、十字状のスリットが頂部に形成された、弾性材料からなるスリットバルブを備え
るスリットバルブ付きキャップが知られている（特許文献１参照）。
【０００３】
このようなスリットバルブ付きキャップは、例えば、圧搾可能な容器の口部に装着して
用いられ、口部側を下にして容器を圧搾することによって内圧を高めると、内容物がスリ
ットを押し開くようにして吐出されるとともに、容器を圧搾する力を緩めるとスリットが
閉塞するようになっている。これにより、容器を圧搾する力の加減によって、適量の内容
物を吐出できるようにしている。
【先行技術文献】
【特許文献】
【０００４】
【特許文献１】特開２００２−３４７８１３号公報
【発明の概要】
【発明が解決しようとする課題】
【０００５】
ところで、特許文献１では、十字状に直交するスリットの切り込みの一方が、内容物を
吐出させる際に容器を傾動させる向きに合致するように、スリットバルブをキャップ本体
に取り付けることで、内容物を吐出させる際の液切れ性を改善しようとしている。
【０００６】
しかしながら、特許文献１が提案するスリットバルブ付きキャップは、スリットが閉塞
する際に、バルブ先端部に存在する内容物が容器内に吸い込まれることから液切れが良い
としているが（特許文献１の段落［００１３］参照）、内容物がバルブ周縁から垂れ落ち
るのを防ぐための工夫は何らなされていない。垂れ落ちた内容物が容器内に吸い込まれず
に、バルブ周縁やスリットの周囲に残ると不衛生であり、外観上も好ましくない。
【０００７】
また、特許文献１のスリットバルブ付きキャップは、スリットの位置合わせに煩雑な手
間を要するだけでなく、使用者は、必ずしも常に一定の向きに容器を傾動させるとは限ら
ないため、得ようとする効果は期待できない。さらに、容器を傾動させる向きを示すマー
クを設けることも提案されているが（特許文献１の段落［００１８］参照）、使用者の認
識に委ねられてしまう。
【０００８】
本発明は、上記したような事情に鑑みてなされたものであり、内容物を注出する際に、
内容物がバルブ周縁から外部に垂れ落ちることがなく、バルブ上に残留する内容物を、ス
リットの切り込み位置に関係なく容器内に回収することが可能なスリットバルブ付きキャ
ップの提供を目的とする。
【課題を解決するための手段】
【０００９】
本発明に係るスリットバルブ付きキャップは、頂部にスリットが形成された弾性材料か
らなるスリットバルブが取り付けられたキャップ本体と、前記キャップ本体に着脱可能な
上蓋とを備えるスリットバルブ付きキャップであって、前記キャップ本体が、前記スリッ
トバルブの上方に開口して、筒状に立ち上がる注出口部と、前記注出口部の基端から外方
に張り出して、前記スリットバルブの頂部の周縁側を覆う縁枠部と、前記縁枠部の外周縁
に沿って垂下して、前記スリットバルブの側面を囲む側壁部とを有する構成としてある。
【発明の効果】
【００１０】
本発明によれば、内容物を注出するに際し、スリットバルブから吐出された内容物を注
出口部内に留まらせつつ、注出口部から注出することができる。その際、スリットバルブ
の頂部の周縁側が縁枠部で覆われているので、内容物がバルブ周縁から外部に垂れ落ちる
ことがない。しかも、注出後に注出口部内に残留する内容物は、スリットバルブのスリッ
トから容易に引き込まれ、スリットの切り込み位置に関係なく容器内に回収することが可
能である。
【図面の簡単な説明】
【００１１】
【図１】本発明の実施形態に係るスリットバルブ付きキャップの概略を示す平面図である。
【図２】図１のＡ−Ａ断面図である。
【図３】本発明の実施形態に係るスリットバルブ付きキャップの概略を示す平面図である。
【図４】図３のＢ−Ｂ断面図である。
【図５】スリットバルブの一例を示す斜視図である。
【図６】封止体の一例を示す斜視図である。
【図７】図２の要部拡大図である。
【発明を実施するための形態】
【００１２】
以下、本発明に係るスリットバルブ付きキャップの一実施形態について、図面を参照し
つつ説明する。
【００１３】
本実施形態に係るキャップ１は合成樹脂からなり、キャップ本体２と、キャップ本体２
に着脱可能な上蓋３とが、ヒンジ４で連結された、いわゆるヒンジキャップに本発明を適
用した例であって、圧搾可能な容器の口部１０に装着して用いられる。
【００１４】
ここで、図１は、キャップ本体２に上蓋３を嵌着した状態を示す平面図、図２は、図１
のＡ−Ａ断面図であり、キャップ１を構成する各部材についての上下左右及び縦横の方向
は、図２に示す状態で規定される方向とする。
また、図３は、キャップ本体２から上蓋３を離脱させた状態を示す平面図、図４は、図
３のＢ−Ｂ断面図である。
【００１５】
本実施形態において、キャップ本体２は、外周縁に沿って垂下する外側筒部２１と、そ
の内側に同心状に垂下する内側筒部２２とを有している。そして、容器の口部１０にキャ
ップ１を装着した際に、外側筒部２１の下端側内周面に形成された嵌合部２１ａが、口部
１０の外周面側に形成された嵌合部１０ａと嵌合するとともに、内側筒部２２が口部１０
の内周面に液密に密着するようになっている。
【００１６】
このようにすることで、キャップ１が打栓によって、容器の口部１０に液密に装着され
るようにしているが、キャップ１の装着手段は、容器の口部１０にキャップ１を液密に装
着できれば、これに限定されない。
【００１７】
また、キャップ本体２には、スリットバルブ５が取り付けられている。スリットバルブ
５は、例えば、十字状などに切り込まれたスリットＳが形成された頂部５ａと、頂部５ａ
の外周縁に沿って垂下する筒状部５ｂと、筒状部５ｂの下端側に外方に張り出すようにし
て形成されたフランジ部５ｃとを有している。このようなスリットバルブ５は、例えば、
シリコーンゴムなどの弾性材料からなり、頂部５ａに形成されたスリットＳが、弾性変形
によって開閉するように形成されている。
なお、図５は、スリットバルブ５を斜め上方からみた斜視図である。
【００１８】
キャップ本体２は、スリットバルブ５の上方に開口して、筒状に立ち上る注出口部２５
を有している。注出口部２５は、スリットバルブ５のスリットＳから吐出された内容物の
注出口となる部位であり、スリットバルブ５の頂部５ａの外径に対して、注出口部２５の
内径が小さくなるように形成されている。そして、内容物を注出する際の液切れを良くし
て、容器を正立状態に戻す際の液垂れ、注出口部２５の先端側の内容物の残留をより良好
に抑止するために、図示するように、注出口部２５の先端側の内周面が、先端に向かって
拡径するように傾斜しているとともに、注出口部２５の先端が外方に反り返るように湾曲
して形成されているのが好ましい。
【００１９】
また、キャップ本体２は、注出口部２５の基端から外方に張り出して、スリットバルブ
５の頂部５ａの周縁側を覆う縁枠部２４と、縁枠部２４の外周縁に沿って垂下して、スリ
ットバルブ５の側面を囲む側壁部２３とを有しており、これらによって画成される凹陥部
に、スリットバルブ５が挿入されるようになっている。そして、側壁部２３の下端側には
、スリットバルブ５のフランジ部５ｃが係止される係止段部２３ａが設けられているとと
もに、係止段部２３ａに近接した位置に、環状の押さえ部材６の周縁が嵌入される凸部２
３ｂが設けられている。
【００２０】
これにより、スリットバルブ５は、そのフランジ部５ｃが係止段部２３ａと押さえ部材
６とに挟持されて、キャップ本体２に取り付けられるようにしているが、スリットバルブ
５の取り付け手段は、側壁部２３と縁枠部２４とによって画成される凹陥部からスリット
バルブ５が容易に脱落しないように取り付けることができれば、これに限定されない。
【００２１】
また、キャップ本体２に着脱される上蓋３には、上蓋３をキャップ本体２に嵌着した際
に、注出口部２５を封止して、内容物が漏れ出したりしないようにするための封止体７が
取り付けられている。封止体７は、注出口部２５に挿入される封止部７１と、上蓋３の天
面部３１から筒状に垂下する嵌合筒部３２に嵌合される外周嵌合部７２とを有している。
なお、図６は、封止体７を斜め下方からみた斜視図である。
【００２２】
封止体７の外周嵌合部７２は、外側筒部７３と内側筒部７４とを有しており、これらの
下端が底板部７５で連結されて、縦断面Ｕ字状となるように形成されている。そして、外
側筒部７３の上端側外周面に形成された嵌合凸部７３ａと、嵌合筒部３２の下端側内周面
に形成された嵌合凸部３２ａとによって、上蓋３の嵌合筒部３２に、封止体７の外周嵌合
部７２が遊嵌状に嵌合するようになっており、外側筒部７３の嵌合凸部７３ａと、嵌合筒
部３２の嵌合凸部３２ａとの間には、遊びが設けられるようにしてある。このようにする
ことで、キャップ本体２に上蓋３を嵌着した状態で、容器が落下などして衝撃が加わった
ときに、その衝撃、特に縦方向の衝撃を吸収できるようにしている。
【００２３】
また、封止体７の封止部７１が注出口部２５に挿入されたときに、注出口部２５の内周
面に封止部７１が液密に密着して注出口部２５を封止できるように、これらの寸法などが
適宜設定される。このとき、注出口部２５の内周面と封止部７１との密着性を高めるため
に、注出口部２５の基端側内周面に窪み２５ａを形成し、この窪み２５ａと係合する膨出
部７１ａを封止部７１の側面に形成するのも有効である。そして、前述したように、注出
口部２５の先端が外方に反り返るように湾曲して形成されていると、注出口部２５の外周
面側からの係合が困難なため、このような場合に、上記構成は特に有効である。
【００２４】
さらに、封止体７の封止部７１が注出口部２５に挿入されたときに、キャップ本体２の
縁枠部２４の外周縁に形成された係合段部２４ａに、封止体７の外周嵌合部７２の下端縁
が係合して、封止部７１が挿入された注出口部２５を抑えつけることによっても、注出口
部２５の内周面と封止部７１との密着性を高めることができる。さらに、縦断面Ｕ字状と
なるように形成された外周嵌合部７２は、緩衝部としても機能するため、キャップ本体２
に上蓋３を嵌着した状態で、容器が落下などして衝撃が加わったときに、その衝撃、特に
横方向の衝撃を吸収することができる。
これにより、本実施形態にあっては、上蓋３の嵌合筒部３２に、封止体７の縦断面Ｕ字
状に形成された外周嵌合部７２を遊嵌状に嵌合させたことと相俟って、より確実に注出口
部２５を封止することができる。特に、本実施形態では、注出口部２５の先端側が封止体
７に接触することなく、注出口部２５を封止するため、注出口部２５の先端が外方に反り
返るように湾曲して形成されていても、注出口部２５の封止が確実に行われる。
【００２５】
ここで、図２において、部材どうしが重なって図示されている部分は、実際には、弾性
変形して互いに押圧力が作用している。例えば、図２の鎖線で囲む部分を拡大して図７に
示すが、封止体７の封止部７１と注出口部２５とには、図７に矢印で示す力が作用して、
互いに密着するようになっている。また、封止体７の外周嵌合部７２（外側筒部７３）に
は、図７に矢印で示す力が作用して、上蓋３の天面部３１によって押し下げられて、外周
嵌合部７２が付勢された状態で、注出口部２５を抑えつけることができるようにしている
。
【００２６】
また、本実施形態にあっては、上蓋３の天面部３１から垂下するガイド筒３３を設け、
かかるガイド筒３３の先端が、キャップ本体２から立ち上る外側立ち上り部２ａと内側立
ち上り部２ｂとの間に被嵌されるようにしている。このように被嵌することによっても、
容器が落下などして衝撃が加わったときに、その衝撃、特に横方向の衝撃が吸収されるよ
うにすることができ、注出口部２５をより確実に封止できる。
【００２７】
キャップ本体２の外側立ち上り部２ａと内側立ち上り部２ｂは、環状に連続して形成し
てもよく、また、一部を切り欠いて形成してもよい。さらに、外側立ち上り部２ａは、図
示するように、その内周面が先端に向かって拡径するように形成され、内側立ち上り部２
ｂはその外周面が先端に向かって縮径するように、傾斜する環状壁に形成するのが好まし
い。このようにすることで、キャップ本体２に上蓋３を嵌着する際に、ガイド筒３３の先
端が、外側立ち上り部２ａの内周面または内側立ち上り部２ｂの外周面に当接して案内さ
れて、外側立ち上り部２ａと内側立ち上り部２ｂとの間に被嵌される。その結果、封止体
７の封止部７１と注出口部２５との位置ズレを防いで、より確実に封止部７１が注出口部
２５に挿入されるようにすることができる。
【００２８】
また、キャップ本体２に上蓋３を嵌着させるにあたり、本実施形態では、外側立ち上り
部２ａをキャップ本体２の外周縁側に形成し、内側立ち上り部２ｂとガイド筒３３の位置
を適宜調整して上蓋３の天面部３１の外周縁から垂下する筒部３０の下端側内周面に形成
された嵌合部３０ａが、外側立ち上り部２ａの上端縁に嵌合するようにしている。
【００２９】
次に、本実施形態に係るキャップ１が装着された容器から、内容物を注出する操作につ
いて説明する。
【００３０】
まず、キャップ本体２から上蓋３を離脱させて、封止体７の封止部７１による注出口部
２５の封止を解除するとともに、注出口部２５を下にして容器を圧搾する。これにより、
容器内の圧力が高められて、内容物がスリットバルブ５のスリットＳを押し開くようにし
て吐出され、吐出した内容物が注出口部２５から注出される。そして、適量の内容物が注
出されたら、容器を正立状態に戻しながら、圧搾する力を緩めて容器を復元させる。これ
に伴って容器内の圧力が下がり、注出口部２５内に残留した内容物がスリットＳから容器
内に引き込まれていき、その後、スリットＳが閉塞することで注出操作が完了する。
【００３１】
このように、本実施形態によれば、内容物を注出するに際し、スリットバルブ５から吐
出された内容物を注出口部２５内に留まらせつつ、注出口部２５から注出することができ
る。その際、スリットバルブ５の頂部５ａの周縁側がキャップ本体２の縁枠部２４で覆わ
れているので、その構造上、内容物がバルブ周縁から外部に垂れ落ちてしまうことがない
。しかも、注出後に注出口部２５内に残留する内容物、すなわち、スリットバルブ５上に
残留する内容物は、スリットバルブ５のスリットＳから容易に引き込まれて、スリットＳ
の切り込み位置に関係なく容器内に回収することが可能である。
【００３２】
また、本実施形態では、注出口部２５の先端側の内周面が、先端に向かって拡径するよ
うに傾斜しているとともに、注出口部２５の先端が外方に反り返るように湾曲して形成さ
れている。これによって、内容物を注出する際の液切れを良くして、液垂れをより良好に
抑止しているのは前述した通りであるが、液切れ後に注出口部２５の先端側に残る内容物
は、容器を正立状態に戻す際に、注出口部２５の先端側の内周面を滑るようにして、注出
口部２５内に流れ落ちていくようになる。このため、注出口部２５の先端側に内容物が付
着して残ってしまうのを、有効に抑止することができる。
【００３３】
なお、注出口部２５内に残留する内容物が容器内に引き込まれるに際し、その引き込み
可能な量は、容器を圧搾した際の体積変化に依存する。このため、一般的な体積変化を想
定して、その変化量よりも、スリットバルブ５の上方に形成される注出口部２５内の空間
の体積が小さくなるようにするのが好ましい。特に、本実施形態では、キャップ本体２が
、スリットバルブ５の頂部５ａの周縁側を覆う縁枠部２４を有しており、縁枠部２４の内
周縁に沿って筒状に立ち上るようにして形成した注出口部２５の内径が、スリットバルブ
５の頂部５ａの外径に対して小さくなるように形成されているため、スリットバルブ５の
上方に形成される注出口部２５内の空間の体積が小さくなるように設計するのが容易であ
る。
【００３４】
以上、本発明について、好ましい実施形態を示して説明したが、本発明は、前述した実
施形態にのみ限定されるものではなく、本発明の範囲で種々の変更実施が可能であること
はいうまでもない。
【００３５】
例えば、前述した実施形態では、キャップ本体２と上蓋３とがヒンジ４で連結された例
を挙げているが、キャップ本体２と上蓋３とは別々に分離して形成されたものであっても
よく、上蓋３は、螺合によってキャップ本体２に着脱可能とすることもできる。
【００３６】
本発明に係るスリットバルブ付きキャップは、例えば、油類、醤油、ソース、ドレッシ
ング等の調味料類、洗剤、化粧品等の薬液類などを内容物とする容器の口部に装着して用
いることができる。
【符号の説明】
【００３７】
１          キャップ
２          キャップ本体
２３          側壁部
２４          縁枠部
２４ａ          係合段部
２５          注出口部
２５ａ          窪み
３          上蓋
３２          嵌合筒部
５          スリットバルブ
５ａ          頂部
７          封止体
７１          封止部
７１ａ          膨出部
７２          外周嵌合部
Ｓ          スリット
【図１】
2018154372.tif 000003
【図２】
2018154372.tif 000004
【図３】
2018154372.tif 000005
【図４】
2018154372.tif 000006
【図５】
2018154372.tif 000007
【図６】
2018154372.tif 000008
【図７】
2018154372.tif 000009